(57)【特許請求の範囲】
【請求項１】
シールバーとシール台とによりフィルムを挟圧しつつ前記シールバーに装着されたヒーター線に通電し前記フィルムを熱溶着するインパルスシール装置であり、
前記シールバーにおける前記ヒーター線の非シール面と当接する支持面が電気的絶縁層の凹凸面となっており、その凹凸形状をフィルムの種類や厚みによって変えることにより前記ヒーター線と前記シールバーとの伝熱効率を変化させるようにしたことを特徴とするインパルスシール装置。
【請求項２】
前記電気的絶縁層がセラミックであることを特徴する請求項１記載のインパルスシール装置。
【請求項３】
前記電気的絶縁層がセラミックの溶射により形成されていることを特徴とする請求項１記載のインパルスシール装置。
【請求項４】
前記セラミックがアルミナであることを特徴とする請求項２又は３記載のインパルスシール装置。
【請求項５】
前記凹凸形状が複数のくぼみを規則的に配列してなるものであることを特徴とする請求項１〜３に記載のインパルスシール装置。
【請求項６】
前記電気的絶縁層に耐熱性樹脂がコーティングされていることを特徴とする請求項１〜５記載のインパルスシール装置。
【請求項７】
前記シールバーの前記支持面を含む一部が、前記ヒーター線の受け部として別体で設けられていることを特徴とする請求項１〜６のいずれかに記載のインパルスシール装置。
【請求項８】
前記シールバーがアルミで形成されていることを特徴とする請求項１〜７記載のインパルスシール装置。
【発明の詳細な説明】
【技術分野】
【０００１】  本発明は、ヒーター線に瞬間的に大電流を通電することで発生した熱により樹脂フィルムを熱溶着するインパルスシール装置に関する。
【背景技術】
【０００２】  従来のインパルスシール装置は、対向配置されているシールバーとシール台とで樹脂フィルムを挟圧しつつ加熱し、フィルムどうしを熱溶着することで包装体の密封シールやフィルムの接合等を行っている。【０００３】  シールバーは挟圧面にニクロム線等のヒーター線が配置されており、当該ヒーター線はシリコンゴム等の耐熱性ゴムの受け部によって非シール面側から支持され、両端部はシールバーの左右両側に配置されているテンションユニットにそれぞれ固定されている。これらのテンションユニットは、シールバーの長手方向に沿って摺動可能に配設されており、バネ等の付勢力によりヒーター線を緊張状態に維持している。受け部は、シールバーの挟圧面に長手方向のほぼ全長に亘って取り付けられ、ヒーター線とシールバーとを電気的に絶縁している。また、受け部とヒーター線との間には、耐熱性と絶縁性とを兼ね備えたガラスクロステープが保護層として配置されている。一方、シール台の挟圧面にも耐熱性ゴムの受け部が配設されており、フィルムを挟圧した際に、シールバーのヒーター線がフィルムを介して当接するようになっている（例えば、特許文献１参照）。
【先行技術文献】
【特許文献】
【０００４】
【特許文献１】特開２００４−９９９６７号公報
【発明の概要】
【発明が解決しようとする課題】
【０００５】  従来のインパルスシール装置では以下の解決すべき課題がある。
（１）シールバーにおいて、ヒーター線とシリコンの受け部との間にガラスクロステープを配置することで、前記受け部をヒーター線の熱からある程度保護することができ、消耗品として交換頻度を少なくすることができるものの、ガラスクロステープ自体を短期間で交換する必要がある。係るガラスクロステープを交換する場合、ヒーター線をシールバーから取り外さなければならず、非常に手間がかかる作業となる。
（２）ガラスクロステープの弊害として、ヒーター線の加熱及び冷却を阻害する点がある。通常、インパルスシール装置は熱溶着後、フィルムを挟圧した状態でヒーター線が冷却するのを待ってシールバーとシール台とを離反させているが、ガラスクロステープが熱の移動を阻害するため、フィルムの昇温に時間を要するだけでなく、冷却にも時間がかかる。
（３）厚いフィルム（例えば、０．３ｍｍのポリプロピレン）どうしを１〜２秒程度の短時間で接合しようとすれば、ガラスクロステープの耐熱温度を超える温度までニクロム線を加熱する必要がある。このため、ガラスクロステープは接合動作毎の劣化が激しく、頻繁に交換する必要がある。このため、厚いフィルムの場合には、シール台にもヒーター線を配置し、ヒーター線の温度が過度に上がらないよう対策されているが、両側にヒーター線があるため冷却に時間を要し、短時間でシールを行うことができない。また、厚いフィルムの場合は、ヒーター線のフィルムと接触していない非接触部分と受け部との間に隙間が生じて受け部への熱移行が妨げられるため、非接触部分はガラスクロステープの耐熱温度を超えて赤熱状態にまで上昇し、ガラスクロステープの劣化を促進させる。
（４）ヒーター線を加熱すると熱膨張により伸びが発生するが、シールバーとシール台とに挟圧されて加圧状態にあるため伸びが阻害され、波打ち状の変形を起こし、これに伴って受け台のゴムも波打ち状に変形する。このように変形した場合、こしのある厚いフィルムでは変形に追随することができず、圧力と温度とにむらが生じ、全ての範囲で所定のシール強度を満足させるためシール温度を上げていくと局所的に高温になった箇所が焦げ付いてシール不良が発生し、結局適切なシール強度を持たせることができない。
【課題を解決するための手段】
【０００６】  上記課題を解決するために本願発明は、シールバーとシール台とによりフィルムを挟圧しつつ前記シールバーに装着されたヒーター線に通電し前記フィルムを熱溶着するインパルスシール装置において、前記シールバーにおける前記ヒーター線の非シール面と当接する支持面が電気的絶縁層の凹凸面となっており、その凹凸形状をフィルムの種類や厚みによって変えることにより前記ヒーター線と前記シールバーとの伝熱効率を変化させるようにしたことを特徴としている。なお、前記凹凸面とする範囲は前記ヒーター線の幅よりも狭いことが望ましい。何故なら、前記凹凸面を前記ヒーター線の全幅或いは前記ヒーター線の幅を超える範囲に設けた場合、前記ヒーター線の幅方向両端縁部においては前記支持面との接触面積が小さく熱の移行が抑制されるので、端部が高温になりフィルムに食い込みやすくなる。これにより、前記シールバーとシール台とを開放した際に前記シールバーからフィルムが外れず、生産に支障を来たす場合があるからである。【０００７】  前記電気的絶縁層がセラミックであることを特徴としている。【０００８】  前記電気的絶縁層がセラミックの溶射により形成されていることを特徴としている。【０００９】  前記セラミックがアルミナであることを特徴としている。【００１０】  前記凹凸形状が複数のくぼみを規則的に配列してなるものであることを特徴としている。例えば、複数の半球形のくぼみを形成するディンプル加工によるものでも良い。【００１１】  前記電気的絶縁層に耐熱性樹脂がコーティングされていることを特徴としている。【００１２】  前記シールバーの前記支持面を含む一部が、前記ヒーター線の受け部として別体で設けられていることを特徴としている。【００１３】  前記シールバーがアルミで形成されていることを特徴としている。【００１４】
【発明の効果】
【００１５】  本発明に係るインパルスシール装置によれば、ヒーター線と支持面との間に別途ガラスクロステープ等を設ける必要がなく、それに係るメンテナンスの手間を省略し、しかも昇温特性及び冷却特性の細かい設定が可能になるため、フィルムの厚み及び材質に適した条件でのシールが可能で、短時間で仕上がりの良いシールを行うことができる。
【図面の簡単な説明】
【００１６】
【図１】本発明にかかるインパルスシール装置の実施形態を示す平面図。
【図２】第１図のインパルスシール装置におけるシールバーの部分拡大断面図。
【図３】（ａ）受け板の別の実施形態を示す平面図、（ｂ）受け板の断面図。
【発明を実施するための形態】
【００１７】  以下に、本発明に係るインパルスシール装置の実施形態について説明する。第１図はインパルスシール装置の平面図を示している。
【００１８】  図示するように、インパルスシール装置１は水平方向に対向配置された一組のシールバー２とシール台３とで構成されており、これらが図示しない包装機の所定位置に取り付けられて協働し、二枚のフィルムＦａ、Ｆｂを挟圧しながら加熱することでヒートシールを行う。
【００１９】  シールバー２は、フィルム幅方向に長さを有する本体２ａと、当該本体２ａの挟圧面２ｂに装着されている帯状のヒーター線４とを主な構成要素として備えている。本体２ａは挟圧面２ｂと反対に位置する後面２ｃの中央部を突出させた平面視Ｔ字型に形成され、両端に絶縁性材料で形成された絶縁カバー５が取り付けられている。
【００２０】  絶縁カバー５は略Ｌ型に形成され、本体２ａの側面２ｄ及び後面２ｃに沿うように取り付けられている。絶縁カバー５の外側面のうち、シールバー２の長手方向両端に位置する端面５ａは、平面視半円形の曲面形状に形成されている。
【００２１】  また、後面２ｃには突出部２ｅを挟んで両側にそれぞれテンションユニット６、６が配設されている。これらのテンションユニット６、６は、シールバー２の長手方向にスライド自在に取り付けられており、突出部２ｅとの間に連結したコイルバネ７によって突出部２ｅの方向へ付勢されている。即ち、一対のテンションユニッ６、６は互いに接近する方向に付勢されていることになる。このように配置されたテンションユニット６、６にそれぞれヒーター線４の両端部が固定されている。
【００２２】  ヒーター線４は、フィルムＦａ、Ｆｂの溶着に供される加熱部４ａと、加熱部４ａの両端に異なる材質の固定部４ｂ、４ｂを連結したものである。そして、シールバー２の挟圧面２ｂにその長手方向に沿って配置し、固定部４ｂ、４ｂを絶縁カバー５の端面５ａに添わせて反転させたのちテンションユニット６、６にそれぞれ固定している。固定部４ｂ、４ｂには、導電性の高い材料が使用されているため高温になりにくく、ヒーター線４に通電が行われた場合でも樹脂製の絶縁カバー５が溶けることがない。また、ヒーター線４にはテンションユニット６、６によって常に張力が作用し緊張状態が維持されているため、熱膨張による長さの変化を吸収することができる。ヒーター線４の加熱部４ａの長さがフィルム幅を超える場合、フィルムＦと接触しない部分の温度が過剰になるため、これを回避するために加熱部４ａはフィルム幅よりも若干短い長さが好ましい。
【００２３】  一方、シールバー２の挟圧面２ｂにはシールバー２とは別体の受け板８（受け部に相当）が配置されており、受け板８を介してヒーター線４の熱が本体２ａに伝達される。第２図に示すように、この受け板８は断面Ｔ字型の形状を有し、下側の突出部を、挟圧面２ｂに形成されていて幅方向に延びる溝２ｆに嵌合させた状態で取り付けられている。受け板８は、アルミ等の金属材料で形成した基材８ａの上面を、ヒーター線４の非シール面に当接する支持面８ｃとし、その表面には電気的絶縁層８ｂを設けてヒーター線４と本体２ａとの導通を遮断している。また、支持面８ｃは凹凸面となっており、ヒーター線４の非シール面との接触面積、即ち、凹凸形状を変えることによってヒーター線４と受け板８との伝熱効率を変化させている。例えば、接触面積を拡大する凹凸形状とすれば、ヒーター線４を緩やかに昇温させることができるとともに急速に冷却を行うことができ、接触面積を縮小する凹凸形状とすれば、ヒーター線４を急速に昇温させることができるとともに緩やかに冷却を行うことができる。要するに、凹凸の形状を変えることによりフィルムの種類や厚み等に応じた適切なシール時間のコントロールが可能になる。凹凸の形状は、規則的なパターンに限らず、不規則なパターンでも良い。なお、ヒーター線４との接触面（即ち、支持面）は滑りやすい方が良く、ヒーター線４が熱膨張する際に電気絶縁層８ｂから受ける摩擦抵抗による波打ち現象を抑制することができ、こしのある厚いフィルムをシールする場合でも均一に圧力をかけることができる。接触面の滑り性は、耐熱性樹脂をコーティングすることなどにより付与することができる。
【００２４】  シール台３は、フィルム幅方向に長さを有する本体３ａの挟圧面３ｂに、シールバー２のヒーター線４に対面させて受部材９が配設されている。受部材９は、フィルムの厚みやコシの強さ等により硬質と軟質とを使い分けることができる。例えば、厚いフィルムの場合には、軟質の受け板を使用すると十分な圧力でもって加圧することができず、また、ヒーター線の熱膨張による伸びを阻害するため硬質の方が好ましい。反対に薄いフィルムの場合には、硬質の受け板を使用するとシールバー２との当り調整をシビアに行う必要があるため、ゴムのように弾力性があって多少の誤差を吸収できるものが好ましい。
【００２５】  なお、シールバー２の符号１０は給電用プラグを示しており、包装機に設けられている給電用差込口に接続されるようになっている。また、符号１１は左右一対のエアシリンダーを示しており、シールバー２をシール台３に対して接離可能になっている。
【００２６】  以上のように構成されたインパルスシール装置１の本体２ａはアルミ等の高い熱伝導率の材料、即ち、放熱性の良い材質のものが好ましいし、絶縁カバー５の絶縁性材料としては、耐熱性や耐久性に優れたエンジニアプラスチックなどが好ましい。
【００２７】  ヒーター線４は、加熱部４ａをニクロム線や鉄クロム等で構成し、固定部４ｂ、４ｂを銅等の導電性の高い材料で構成しても良い。なお、絶縁カバー５の耐熱性が高い場合などは、ヒーター線４の全長を加熱部４ａの材質とすることも可能である。
【００２８】  受け板８としては、例えば、アルミで形成された基材８ａの表面にブラスト処理を施し、続いてニッケルクロムめっきによって下地被膜を形成し、その表面にアルミナ（酸化アルミニウム）を溶射することで得ることができる。この他にも、支持面８ｃを機械加工して凹凸面としたうえでアルマイト加工することにより、凹凸を有したアルミナの電気絶縁層を形成したり、支持面８ｃに形成した電気絶縁層にブラスト加工を施し、梨地状の凹凸面に仕上げたり、セラミックのコーティング剤を凹凸面に加工した支持面８ｃに塗布する方法等を採用することができる。さらに、電気絶縁層の表面にポリイミド樹脂等の耐熱性樹脂をコーティングすることで電気的絶縁性の向上や滑り性のアップを図ることができる。なお、シールバーの本体と受け板とが一体となっている場合は、本体に直接加工を施して電気的絶縁層を形成することもできるが、別体の受け板を採用すれば、受け板のみの交換が可能であるため消耗品を減らすことができるだけでなく、シール条件が変更された場合、それに適した受け板に取り替えるのみで対応することができる。これは、支持面８ｃの凹凸形状を変更すればヒーター線４と受け板８との伝熱効率が変化するため、昇温特性及び冷却特性を細かく設定することができるからである。よって、フィルムの厚みや材質等に適したシール条件を設定することができ、短時間で仕上がりの良いシールが行えるようになる。
【００２９】  一方、シール台３の本体３ａは、シールバー２の本体２ａと同様に、アルミ等の熱伝導性材料、即ち、放熱性の良い材質のものが好ましい。受部材９は、軟質のものではシリコンゴムなど、硬質ものではセラミック等を用いることができる。
【実施例１】
【００３０】  以下、本発明の実施例をさらに詳細に説明する。
本実施例１においては、本体２ａがアルミで形成されており、絶縁カバー５にはエンジニアプラスチックが用いられている。本体２ａには厚み０．１ｍｍ、幅８ｍｍのヒーター線４が装着されており、このヒーター線４はニクロム線の両端部に厚み０．２ｍｍ、幅８ｍｍの銅をスポット溶接したものである。受け板８は、アルミの基材８ａの支持面８ｃにブラスト処理を施し、そのあとニッケルクロムめっきによって下地被膜（厚み約５０μｍ）を形成し、その上にアルミナ（酸化アルミニウム）を溶射して表面層（厚み約５０μｍ）を形成したもので、表面は表面粗さＲａ＝９．４９μｍ、Ｒｚ＝６０．７０μｍの粗い面になっている。【００３１】  一方、シール台３の本体３ａもアルミで形成されており、受部材９には表面にセラミックを溶射したものが用いられている。【００３２】  以上のような構成を有するインパルスシーラーを用いて０．３ｍｍ厚のＰＰフィルム（ポリプロピレンフィルム）Ｆａ、Ｆｂの接合を行った。はじめにフィルムＦａ、Ｆｂをシールバー２とシール台３とで挟圧し、ヒーター線４にトランスで変換した４０Ｖの電圧を一定時間かけて通電することにより加熱し、その熱でフィルムを溶着したあと通電を停止して所定の冷却時間をおいた後シールバー２をシール台３から離反させる。なお、トランスの代わりに電力調整器を用いると精密に電力調整を行うことができ、例えば、電流値４０〜４８Ａ、加熱時間１〜２秒間の各範囲の中から任意の組み合わせでシールを行うことができる。この場合、冷却時間は１．５秒以上が好ましい。【００３３】  シール条件は次の二通りで、条件Ａとして通電時間１秒、冷却時間１．５秒とし、条件Ｂとして通電時間１．７５秒、冷却時間２．０秒とした。その結果、いずれの条件でシールを行った場合も、ほとんどむらのない良好なシールを行うことができた。このように厚みのあるフィルムを接合するには、一般的にシール台にもヒーター線を装着して両側から加熱する必要があるが、本実施例ではシールバーのみで対応することができた。【００３４】（比較例１）
実施例１とシールバー２の受け板を除いては同一の構成を有している。用いた受け板は厚み１．０ｍｍ、幅１０ｍｍのアルミナのセラミックプレートであり、その表面粗さは３．２μｍである。【００３５】  このインパルスシーラーで実施例１と同様のフィルムを同一条件でシールした結果、いずれの条件においてもシールむらが発生した。これは、受け板の表面粗さが小さく表面が平滑であるためにヒーター線との接触面積が大きく、その摩擦抵抗によりヒーター線の熱膨張による伸びを阻害し、且つ、セラミックプレートの熱伝導率が低いため、フィルムに発生した熱量の差を分散することができず、ヒーター線の温度分布にむらが生じ、高温部分におけるヒーター線の伸びが低温部分よりも大きくなることによって波状に変形したことが原因と考えられる。よって、低温部分ではフィルムに及ぼす圧力及び温度が不十分となり、縞状のシールむらが発生したものと考えられる。【００３６】  以上、実施例１と比較例１との結果から、ガラスクロステープを使用しなくても、ヒーター線と受け板との接触面積を適切に調整することにより、良好なシールが行えること示している。【００３７】  インパルスシール装置は短時間でシールできることが望ましいが、実施例１の装置では受け板の表面を粗く形成し、ヒーター線と受け板との接触面積を１平方ｃｍ当り約５．２％とし、ヒーター線の昇温効率と冷却効率とのバランスをとることで、受け部にゴムを使用した従来のシール時間約１０秒に比べて、短時間で良好なシールを行うことができた。
【実施例２】
【００３８】  図３のように受け板８´を形成した。即ち、断面Ｔ字型に形成したアルミ基材に、ヒーター線の支持面８ｃ´となる上面に直径２ｍｍの半球状のくぼみＫを千鳥状に配置したディンプル加工をした後に、アルマイト処理をして表面にマイルマイト皮膜を形成することにより、支持面８ｃ´は、複数の半球状のくぼみＫを有する膜厚５０μｍの電気的絶縁層の凹凸面となっている。ディンプル加工は、ヒーター線幅よりも狭い範囲に形成し、ヒーター線のフィルムへの食い込みを防いでいる。即ち、ヒーター線の中央部では受け板８´との接触面積が小さいため高温となりフィルムを溶解させるが、接触面積が大きい端縁部では温度が上がりにくくフィルムを溶融させないからである。くぼみの大きさや形状及び配列を変更することによりヒーター線と受け板との伝熱効率を変化させることができるため、シール条件に応じて適切な組み合わせを選択すれば良い。
【符号の説明】
【００３９】  １  インパルスシール装置
２  シールバー
２ａ  本体
２ｂ  挟圧面
２ｃ  後面
２ｄ  側面
３  シール台
４  ヒーター線
５  絶縁カバー
５ａ  端面
６  テンションユニット
７  コイルバネ
８、８´  受け板
８ａ  基材
８ｂ  電気的絶縁層
８ｃ、８ｃ´  支持面
１０  給電用プラグ
１１  エアシリンダ
Ｆａ、Ｆｂ  包装フィルム
Ｋ  くぼみ
【図１】
0005910911.tif 000002
【図２】
0005910911.tif 000003
【図３】
0005910911.tif 000004